(57)【要約】【課題】鏡が洗面台の前端から突出しない。【解決手段】洗面ボールが設けられる洗面台と、この洗面台の上に配置され鏡が設けられるミラーキャビネット２０とを備え、鏡２４の左右方向の右寄り中間位置２７において上下方向を軸に鏡２４を回転させて開くことが可能な回転支持装置４６、４６を設ける。こうすることにより、鏡２４の回転する先端と回転支持装置４６、４６の軸との間の距離Ｄは鏡の全幅Ｗよりも小さくなり、鏡２４を回転する前の鏡の面から手前に突出する距離が小さくなり、鏡２４を開いたときに、鏡２４の先端が洗面台の前端から突出しないようにすることができる。【選択図】        図４
2004229915.tif 000002
【特許請求の範囲】
【請求項１】
洗面ボールが設けられた洗面台と、該洗面台の上に配置され鏡が設けられたミラーキャビネットとを備え、前記鏡の左右方向の中間位置において上下方向を軸に前記鏡を回転させて開くことが可能な回転支持手段を設けてなる洗面化粧台。
【請求項２】
請求項１において、前記回転支持手段は、前記鏡を開いたときに、該鏡の先端が前記洗面台の前端から突出しないように位置させてなる洗面化粧台。
【請求項３】
請求項１または２において、前記鏡の裏側に物品を収納する収納棚を設けてなる洗面化粧台。
【発明の詳細な説明】
【０００１】
【発明の属する技術分野】
本発明は、洗面台と、この上に設けたミラーキャビネットとを有する洗面化粧台に関するものである。
【０００２】
【従来の技術】
従来の洗面化粧台としては、たとえば一対の洗面ボールと、ミラーキャビネットとを備え、ミラーキャビネットの両側に各洗面ボールに対応する一対の収納部を設け、各収納部の前方にミラー扉をそれぞれ配置したものが知られている（特許文献１）。各ミラー扉は、ミラーキャビネットの外縁部寄りの端部側を軸として開閉自在にそれぞれ支持する。
【０００３】
また、別の洗面化粧台として、洗面ボールを設けた化粧台と、この化粧台の後部上方に垂設されたミラーキャビネットとを備え、ミラーキャビネットを化粧台の後部上方に所望の間隔をあけて取り付け、ミラーキャビネットと化粧台との間には、両者間の間隙に対応した寸法のパネル部材を取り付けたものが知られている（特許文献２）
【０００４】
【特許文献１】
特開平５−３４４９１６号公報（第２頁、図２）
【特許文献２】
特開平１０−７５９０７号公報（第２頁、図３）
【０００５】
【発明が解決しようとする課題】
ところで、最近の傾向として生活様式の多様化とともに洗面化粧台は大型化する傾向にあり、これにともないミラーキャビネットも大型化している。ミラーキャビネットの大型化は、必然的にミラー扉の幅も大きくなる。上記従来の洗面化粧台は、いずれも、そのミラーキャビネットのミラー扉が左右どちらかの端を支軸にして手前側に開くものである。ミラー扉が片方の端を支軸に手前側に開くので、ミラー扉の先端が洗面ボウルの前端よりも手前に突き出ることになりかねない。ミラー扉の先端が洗面ボウルの前端よりも手前に突き出ると、ミラー扉の開閉がしにくくなるし、使用する上においても衝突など危険なことになりかねない。
【０００６】
本発明は、鏡が洗面台の前端から突出しないことを課題とする。
【０００７】
【課題を解決するための手段】
上記課題を解決するため、本発明は、洗面ボールが設けられた洗面台と、この洗面台の上に配置され鏡が設けられたミラーキャビネットとを備え、鏡の左右方向の中間位置において上下方向を軸に鏡を回転させて開くことが可能な回転支持手段を設けてなることを特徴とする。
【０００８】
このようにすることにより、鏡はその左右方向の中間位置において上下方向を軸に回転させて開くことができるので、鏡の回転する先端と回転支持手段の軸との間の距離は鏡の全幅よりも小さくなる。したがって、鏡を回転して開いたときに鏡が回転する前の鏡の面から手前に突出する距離が小さくなる。
【０００９】
さらに、上記回転支持手段は、鏡を開いたときに、この鏡の先端が洗面台の前端から突出しないように位置させると良い。このようにすることにより、鏡の回転する先端が洗面台の前端から突出しなので、鏡の開閉が容易になり使い勝手が良くなるとともに、使用する上においても衝突など危険を防止することができる。
【００１０】
さらに、鏡の裏側に物品を収納する収納棚を設けると良い。収納棚を鏡の裏側に設けることにより、洗面化粧台が大型化して、鏡を開く前の鏡の面と洗面台の前端との距離が大きい場合でも、鏡を回転させて開くことにより収納棚が近くになるので、そこに収納された物品を取り出し易くなる。
【００１１】
次に本発明を構成する各要件についてさらに詳しく説明する。本発明の洗面化粧台は、集合住宅や個別住宅の一般用あるいは事務所、理髪店や美容院などの業務用として利用可能である。本洗面化粧台は、洗面台と、その後方上にミラーキャビネットとを備えるもので、特にミラーキャビネットの鏡の左右方向の幅が、閉じられた鏡の面と洗面台の前端との距離より大きい場合に最も有効である。回転支持手段は、鏡の幅方向の中間位置で右寄りに設けられると良い。鏡が閉められた状態のときに、鏡の左端と回転支持手段の軸との間の距離が鏡の面と洗面台の前端との距離以内になるようにする。
【００１２】
こうすることにより、鏡を回転したときに、鏡の先端が洗面台の前端から手前側に突出しない。また、回転支持手段は、鏡の左右方向の中間位置で、鏡の上部とミラーキャビネットの本体および下部とミラーキャビネットの本体との間に設けられる。さらに、回転支持手段は、たとえば鏡に固定された突起（またはピボット）と、この突起の先端側がミラーキャビネットの本体に設けられた穴に挿入されるものでも良い。
【００１３】
ミラーキャビネットに設ける鏡（またはミラー扉）は、一つまたは二つ以上、たとえば三つの鏡を設けた３面鏡でも良い。鏡の後側には収納棚を設けると良いが、収納棚は鏡の裏面に設けても良い。この場合、収納棚は、鏡の裏側に棚のみを設けても良いし、背面板を有する枠体に棚を設け、これに鏡を固定しても良い。また、洗面台は、洗面ボールが一つでも良いし、二つまたは複数を並列させて設けても良い。
【００１４】
【発明の実施の形態】
以下、本発明に係る洗面化粧台の実施形態を図面に基づいて詳細に説明する。なお、図１〜８において、同一または同等部分には同一符号を付けて示す。
【００１５】
図１は、本発明に係る洗面化粧台の一実施形態を示す正面図である。図２は、図１の右側面図である。図３は、図１の平面図である。図１に示すように、本実施形態の洗面化粧台１は、一般住宅に使用されるもので、洗面ボール７が設けられた洗面台３と、この洗面台３の後方上に配置されるミラーキャビネット２０とを備える。さらに、洗面化粧台１は、ミラーキャビネット２０の上に設けられるウォールキャビネット６２を備える。
【００１６】
洗面台３は、略箱形形状で、上面に二つの並列した洗面ボール７と、正面手前側に引くことが可能な中央引出し１２、左引出し１３および右引出し１４と、正面板１６とを有する。洗面ボール７にはシャワー兼用蛇口８、これを開閉する開閉栓１０および洗面ボール７の底に設けられた排水管１１が設けられる。中央、左および右の引出し１２、１３および１４には取手１５が設けられる。
【００１７】
ウォールキャビネット６２は、各種物品を収納するもので、箱形で内部には固定棚６３が設けられる。ウォールキャビネット６２の正面には２対の扉６４、６５を有し、背面には背面板６２ａを有する。また、各扉には取手６７が設けられる。
【００１８】
ミラーキャビネット２０は、正面に鏡２４、３０、３４が設けられるが、これら鏡２４、３０および３４は、それぞれミラー扉２２、２８，３２を形成する。また、これら三つの鏡２４、３０および３４は３面鏡を形成する。
【００１９】
図４は、図１、２に示したミラーキャビネット２０を示し、（Ａ）は横断面図、（Ｂ）は正面図である。図５は、図４（Ｂ）のＢ−Ｂ線断面図である。ミラーキャビネット２０は、枠状の本体２１と、本体２１の裏側に設けられた背面板３５と、本体の表側に設けられた中央ミラー扉２２、左ミラー扉２８および右ミラー扉３２とを有する。
【００２０】
中央ミラー扉２２は、鏡２４の左右方向６９の中間位置２７で、右寄りの上下方向７１を軸に鏡２４を回転させて開くことが可能な回転支持装置（回転支持手段）４６を有する。ミラーキャビネットの左ミラー扉２８は鏡３０に向かって右端に、右ミラー扉３２は鏡３４に向かって左端に、それぞれ回転支持装置４７が設けられる。
【００２１】
図６は、図４、５に示したミラーキャビネットの中央ミラー扉２２の上側回転支持装置４６を示し、（Ａ）は正面断面図、（Ｂ）は側面断面図である。中央ミラー扉２２の下側回転支持装置４６についても、上側回転支持装置４６と同じ構造であるので、上側回転支持装置４６の場合について説明する。上側回転支持装置４６は、ピボット方式で、先に記したように、鏡の左右方向右側寄りの中間位置２７で、かつ鏡２４の上部とミラーキャビネットの本体２１との間に設けられる。
【００２２】
さらに、回転支持装置４６は、図示していない緩衝材を介して鏡２４を挟む略Ｕ字形部材４９と、このＵ字形部材４９の上面中央部に固着された円柱状の突起５３と、この突起５３が挿入される孔を有する座板５６とを有する。円柱状の突起５３は、その基端寄りに鍔５３ａが設けられる。座板５６は、ミラーキャビネットの本体２１に形成された穴２１ａの開口部を塞ぐ位置で本体２１に固定される。突起５３は、座板５６の孔に挿入され回転可能である。なお、洗面化粧台の左右に位置するミラー扉２８、３２の回転支持装置４７についても、回転支持装置４６の構造と略同じであるので、その説明を省略する。
【００２３】
以上の構造を有する本実施形態の洗面化粧台１の作用について図７を使用して説明する。図７は、ミラーキャビネットの中ミラー扉２２の作用を説明する横断面図である。鏡２４は、その左右方向の右寄りの中間位置２７において上下方向７１（図４に表示）を軸に回転させて開くことが可能な回転支持装置４６が設けられるので、鏡２４の回転する先端２５と回転支持装置４６の軸との間の距離Ｄは、鏡の全幅Ｗよりも小さくなり、鏡２４を回転する前の鏡の面２４ａから手前に突出する距離が小さくなり、鏡の先端２５が洗面台の前端５位置（図２、３に表示）から突出しないようにすることができる。
【００２４】
この場合、鏡２４の使用できる最大幅寸法Ｗは、背面板３５の内側面から洗面台の前端５（図２、３）までの距離に等しい寸法までである。また、鏡２４の回転軸である回転支持装置４６の軸位置と鏡の右端部との距離は、ミラーキャビネットの奥行き寸法以下に設定される。そして、ミラーキャビネットの奥行き寸法と鏡の面２４ａから洗面台の前端５までの距離Ｄとの取り合い寸法は、背面板３５の内側面から洗面台の前端５（図２、３）までの距離に等しい寸法の範囲内で任意に設定できる。このようにすると、鏡２４の回転する先端２５が洗面台の前端５から突出しないので、鏡２４の開閉が容易になり使い勝手が良くなるとともに、使用する上においても衝突などの危険を防止することができる。
【００２５】
ところで、図２に示すように、本実施形態の洗面化粧台１は、洗面台３の上にミラーキャビネット２０が設けられるもので、特にミラーキャビネットの中央の鏡２４（または中ミラー扉２２）の左右方向の幅Ｗ（図１）が、閉じられた鏡の面２４ａと洗面台の前端５との距離Ｄ０より大きい場合に最も有効である。すなわち、図７に示すように、回転支持装置４６は、鏡２４の左右方向右寄りの中間位置２７に設けられるが、鏡２４が閉められた状態のときに、鏡の左端（先端）２５と回転支持装置４６の軸との間の距離Ｄが鏡の面２４ａと洗面台の前端５との距離以内になるようにする。こうすることにより、鏡２４を回転したときに、その先端２５が洗面台の前端５から手前側に突出しない。
【００２６】
図８は、本発明に係る洗面化粧台の別の実施形態を示し、ミラーキャビネットの中ミラー扉２２の裏側に収納棚３８を設けた場合の横断面図である。収納棚３８は、鏡に固定される側と反対の側が開口した箱形の枠に棚を設けたものである。収納棚３８の背面側には背面板３８ａが設けられる。中ミラー扉２２の構造として、この収納棚３８に鏡２４を固定したものとしても良い。洗面化粧台１が大型化し洗面台３の奥行き、すなわち図２に示した距離Ｄ０が大きい場合でも、鏡２４の裏側に収納棚３８を設けることにより、中ミラー扉２２を開いたときに収納棚３８が近くになり、そこに収納された物品を取り出し易くなる。
【００２７】
以上この発明を図示の実施形態について詳しく説明したが、それを以ってこの発明をそれらの実施形態のみに限定するものではなく、この発明の精神を逸脱せずして種々改変を加えて多種多様の変形をなし得ることは云うまでもない。
【００２８】
【発明の効果】
本発明によれば、鏡が洗面台の前端から突出しないようにすることができ、鏡の開閉がやり易くなり、使用する上においても衝突などの危険を防止する。
【図面の簡単な説明】
【図１】本発明に係る洗面化粧台の一実施形態を示す正面図である。
【図２】図１の右側面図である。
【図３】図１の平面図である。
【図４】図１、２に示したミラーキャビネットを示し、（Ａ）は横断面図、（Ｂ）は正面図である。
【図５】図４（Ｂ）のＢ−Ｂ線断面図である。
【図６】図４、５に示したミラーキャビネットの回転支持装置を示し、（Ａ）は正面断面図、（Ｂ）は側面断面図である。
【図７】ミラーキャビネットの中ミラー扉の作用を説明する横断面図である。
【図８】図８は、本発明に係る洗面化粧台の別の実施形態を示し、ミラーキャビネットのミラー扉の裏側に収納棚を設けた場合の横断面図である。
【符号の説明】
１  洗面化粧台
３  洗面台
５  前端
７  洗面ボール
２０  ミラーキャビネット
２２  中ミラー扉
２４  鏡
２５  先端
２７  中間位置
４６  回転支持装置（回転支持手段）
６９  左右方向
７１  上下方向
【図１】
2004229915.tif 000003
【図２】
2004229915.tif 000004
【図３】
2004229915.tif 000005
【図４】
2004229915.tif 000006
【図５】
2004229915.tif 000007
【図６】
2004229915.tif 000008
【図７】
2004229915.tif 000009
【図８】
2004229915.tif 000010